(57)【要約】      （修正有）【課題】部分かつらが持ち上がったり、ズレたり、外れたりせずに頭部に安定した装着と密着を可能にし、又激しい強風や激しい運動の時でもズレたり、外れたりする事がなく、安心して装着する事が出来る部分かつらを提供する。【解決手段】上面に植毛されたベース部３の裏面に面ファスナー４が設けられ、その面ファスナー４の一部に凹欠部６が形成され、その凹欠部６の中に止め金具が設けられてなることを特徴とする部分かつら。【選択図】図２
0003183304.tif 000002
【実用新案登録請求の範囲】
【請求項１】
上面に植毛されたベース部の裏面に面ファスナーが設けられ、その面ファスナーの一部に凹欠部が形成され、その凹欠部の中に止め金具が設けられてなることを特徴とする部分かつら。
【考案の詳細な説明】
【考案の詳細な説明】
【技術分野】
【０００１】本考案はかつらの裏面に面ファスナーが設けられ、面ファスナーの一部に凹欠部が施され、その中に止め金具が設けられたかつらベース及びかつらに関する。
【背景技術】
【０００２】一般に部分かつらは薄毛に悩む人が外見上薄毛ではないように見せるために着用するものである。そこで、ここでの部分かつらは、ズレたり、外れたりせず、一部が持ち上がったりせず、誰でも簡便に装着出来、取り外しが出来ることが要求される。又激しい強風や激しい運動の時でも安心して装着することが要求される。【０００３】上記要求を満足する装着方法については従来から様々な方法が提案されている。その代表的な方法は両面テープや接着剤を用いて部分かつらを使用者の頭皮に直接貼り付ける方法、金属製のクリップ（止め金具）を用いて部分かつらを使用者の自毛に取り付ける方法，及び人毛又は人工毛を植毛させたネットの開口部（特許文献１参照）より自毛を引き出して人毛又は人工毛と混毛させて頭部に保持する方法などがある。【０００４】両面テープ使用の方法は固着方法としては優れているが皮膚がかぶれる、又取り外すときに自毛を損傷させるという問題があった。
また一般的に金属製のクリップを用いる方法があるが自毛の根元には装着させる事は出来ず、自毛の根元より何ミリか何センチか浮いた状態で装着せざるを得ないという問題があった。
更に、特許文献１に記載のかつらは開口部から外部に導き出した使用者の自毛とかつらベースに植毛させた人毛又は人工毛とを混毛させ、開口部に毛髪係止部材が設けられている事により、かつらがズレにくく安定した装着感と密着感を高めることは満足させられているが、かつらの装着時には自毛を開口部より取り出して自毛と混毛させる事は非常に手間がかかり、又取り外す時も手間がかかる。
又、文献２に記載のかつらは両面テープを使用し、面ファスナーも使用する事によりかつらを頭部に固定する方法が示されているが、両面接着テープの使用は取り外すときに自毛が両面テープにくっついて自毛を損傷させる問題が残り、面ファスナーの使用は部分的な使用で強力な保持力を実現し難いものである。又装着や取り外しにも手間がかかる問題があった。また人毛又は人工毛を植毛する為のネット部の裏面全面に面ファスナーを設けて装着する方法があるが、一般的使用では問題は無いが、激しい強風や激しい運動等の場合にはズレたり、外れたりする恐れがある。
【先行技術文献】
【特許文献】
【０００５】
【特許文献１】  特開２００８−１８４７１４
【特許文献２】  特許第４９１７６９１
【考案の概要】
【考案が解決しようとする課題】
【０００６】しかし、特許文献１に記載のかつらはかつらに開口部を設け、その周りに係止部材を施し、自毛を開口部より取り出して自毛とかつらベースに植毛させた人毛又は人工毛とを混毛させて一体化させる点で、かつらの固定方法としては満足させられているが、装着時にかつらから自毛を取り出す時に引っ張り加減が弱いとかつらがズレる、又強く引っ張ると所定の位置より引っ張った方向にズレるという問題があり、又取り外す時にも自毛が損傷され、かつらの装着や取り外しに手間がかかるという問題が生じていた。
そうして希望する位置に自然に見えるように装着し取り外すにも手間がかかるという問題が生じていた。【０００７】又特許文献２に記載のかつらは両面テープと起毛テープの組み合わせの構成によるかつらの固定方法として記載されているが、汗の滲出した頭皮に数ミリの隙間を有する事により、汗、皮脂等により粘着が低下しない、又通気性があり粘着力が低下しないという点に於いては満足しているが、両面テープが自毛にくっ付いて自毛を損傷させる、又かつらを浮いた状態で装着する事により、所定の位置よりズレる問題が生じていた。
又取り外す時には自毛が両面テープとくっ付いて自毛を損傷し、取り外すにも手間がかかった。
そこで本考案の課題はかつらを装着する時や取り外す時に自毛が損傷せず、また手間がかからず、簡便に装着が出来、簡便に取り外しが出来、かつらのズレ易さや外れ易さを解消し、手間がかからず、自毛を損傷する事がなく、頭部に安定した装着感と密着感を可能にした部分かつらを提供する事である。
【課題を解決する手段】
【０００８】人毛又は人工毛を植毛する為のネット部の裏面の全面に面ファスナーが設けられてなる事を特徴としたものである。又その一部に凹欠部があり、凹欠部の中に止め金具が設けられていることを特徴としたものである。
【考案の効果】
【０００９】本考案の部分かつらは、ベース部裏面全体に面ファスナーが施されているため、希望の位置に装着出来、浮き上がりもズレも生じることなく使用することが出来る。
又、激しい強風や、激しい運動などでは、ズレたり外れたりする場合、部分かつらの止め金具を自毛に取り付ける事により、外れにくくなり安心して装着する事が出来る。
【考案を実地するための最良の形態】
【００１０】以下本考案の実施の形態に係わる部分かつらについて図を用いて説明を行う。
【００１１】図１は部分かつら１の全体を示す平面図である。図１において部分かつら１は主に人毛又は人工毛２を植毛する為のベース部３と、このベース部３に面ファスナー４が取り付けられて形成されている。面ファスナー４の一部には図２の如く凹欠部６が設けられ、凹欠部６の中に止め金具７が設けられている。
【００１２】面ファスナー４の固着方法はネット部裏面（自毛に接する頭皮側）に縫着、接着、熱溶着による固着方法を用いると良い。
【００１３】この様にして面ファスナー４のフック部先端にマッシュルーム状のフック部を多数全面に形成する事により装着時の密着度が高まり、ズレ難く、外れ難いかつらとする事ができる。
【００１４】ここで使用する面ファスナー４は樹脂系であるプラスッチック、ポリエステル、ポリプロピレン、ナイロン、及びアクリル等の素材が適している。面ファスナー部材は密集した櫛歯状に形成されており、又その先端はマッシュルーム状に形成されている。
【００１５】図３は面ファスナーの上端部のフック部の形状を表した断面図である。
【図面の簡単な説明】
【００１６】
【図１】部分かつらの平面図である。
【図２】部分かつらに凹欠部が設けられた平面図である。
【図３】部分かつらの断面図である。
【符号の説明】
【００１７】１    部分かつら
２    人工毛
３    ベース部
４    面ファスナー
５    フック
６    凹欠部
７    止め金具
【図１】
0003183304.tif 000003
【図２】
0003183304.tif 000004
【図３】
0003183304.tif 000005